(57)【要約】【課題】両面印刷装置における両面印刷用の反転スペースを利用し、かつ印刷ジョブの印刷濃度を考慮した印刷順番で印刷を行うことで、複数の片面１ページ印刷ジョブの連続印刷時間の短縮を可能とする印刷装置の提供。【解決手段】印刷ジョブの印刷濃度を考慮した印刷順番による印刷と、その際に両面印刷装置における両面印刷用の反転スペースを利用することで、印刷物の乾燥待ち時間による印刷時間の遅延を回避し、複数の片面１ページ印刷ジョブの連続印刷時間の短縮を可能とする。【選択図】        図１
2007030255.tif 000002
【特許請求の範囲】
【請求項１】
用紙を反転させる反転スペースと、
受信した複数の片面１ページ印刷ジョブデータを保存する外部記憶装置と、
複数の片面１ページ印刷ジョブデータの印刷濃度を確認する印刷濃度検査手段と、
複数の片面１ページ印刷ジョブの印刷順番を印刷濃度の高いものと低いものとを交互とし、かつ濃度が一番高いものから順に入れ替えることが出来る印刷順序入れ替え手段とを有し、
前記外部記憶装置に、受信した複数の片面１ページ印刷ジョブデータを保存し、前記印刷濃度検査手段を用いて各印刷ジョブデータの濃度を確認し、前記印刷順序入れ替え手段を用いて印刷ジョブの印刷濃度が高いものと低いものとが交互となるように印刷順番を入れ替え、印刷濃度が高いジョブを印刷する際は前記反転スペースを用いて、一旦、印刷済みとなった印刷用紙を反転スペースに退避させ用紙が乾燥するのを待ち、その間に、次に続く印刷濃度の低いジョブを印刷、排紙し、この時に続けて反転スペースで乾燥待ちを行っていた用紙を排紙し、この処理を印刷濃度が高いものと、低いものとが交互に続く限り続けることで、印刷濃度の高い印刷物の乾燥待ち時間を短縮し、複数の異なる片面１ページ印刷データの全ての印刷時間を短縮することを特徴とする印刷装置。
【発明の詳細な説明】
【技術分野】
【０００１】
本発明は印刷装置に関し、さらに詳しくは両面印刷装置における複数の片面１ページ印刷ジョブの連続印字時間短縮に関するものである。
【背景技術】
【０００２】
従来、インクジェットプリンタの印刷装置における複数の異なる片面１ページ印刷ジョブの印刷は、印刷装置がジョブデータを受け取ったその順番通りに処理を行い、印刷するというものであった。ところがジョブデータによっては、印刷濃度が濃く、乾燥待ちが長くかかるものが存在するため、印刷が完了しても直ちに排紙することが出来ず、次に続くジョブデータを素早く印刷できないケースがあった。
【０００３】
そのため、このような印刷方法では連続する複数の異なる片面１ページ印刷ジョブの印刷において、全てのジョブの印刷を完了するまでに非常に多くの時間がかかるケースがあった。しかしながら、近年の印刷装置にはＨＤＤなどの外部記憶装置を搭載したものが存在し、このような印刷装置では受信した複数の異なる片面１ページ印刷ジョブデータを、印刷装置内部に内部に蓄えることが可能となり、一旦、蓄えた複数の異なる片面１ページ印刷ジョブデータを任意の順番に入れ替えることが可能となっているため、複数ある全ての片面１ページ印刷ジョブのうち、優先度の高いものから順番に印刷を行うことで、必要なジョブを素早く印刷させ、全てのジョブの印刷完了までの時間が長いという問題を、時間の短縮とは別の解で回避していた（例えば、特許文献１参照）。
【特許文献１】特開２００３−０４８３１１号公報
【発明の開示】
【発明が解決しようとする課題】
【０００４】
しかしながら、このような方法では、複数の異なる片面１ページ印刷ジョブにおける、全ての印刷ジョブの完了までに要する時間を短縮するという根本的な解決になっていない。
【０００５】
そこで本発明は、このような問題を解決するために、印刷装置内部に例えばＨＤＤなどの外部記憶装置を持ち、複数の異なる片面１ページ印刷ジョブを保存し、その保存した各印刷ジョブの印刷濃度を考慮した適切な印刷順番に並べ替え印刷を行い、さらに印刷濃度が高いために乾燥待ち時間が発生するような印刷ジョブは両面印刷で使用する用紙反転パスを利用し、用紙反転パス上で乾燥待ちさせることで、次に印刷すべき印刷ジョブの処理が可能となり、全ての片面印刷ジョブデータの印刷完了時関を短縮することが可能となる印刷装置の提供を目的とする。
【課題を解決するための手段】
【０００６】
前記目的を達成するために、本発明では用紙を反転させる反転スペースと、受信した複数の片面１ページ印刷ジョブデータを保存する外部記憶装置と、複数の片面１ページ印刷ジョブデータの印刷濃度を確認する印刷濃度検査手段と、複数の片面１ページ印刷ジョブの印刷順番を印刷濃度の高いものと低いものとを交互とし、かつ濃度が一番高いものから順に入れ替えることが出来る印刷順序入れ替え手段とを有し、前記外部記憶装置に、受信した複数の片面１ページ印刷ジョブデータを保存し、前記印刷濃度検査手段を用いて各印刷ジョブデータの濃度を確認し、前記印刷順序入れ替え手段を用いて印刷ジョブの印刷濃度が高いものと低いものとが交互となるように印刷順番を入れ替え、印刷濃度が高いジョブを印刷する際は前記反転スペースを用いて、一旦、印刷済みとなった印刷用紙を反転スペースに退避させ用紙が乾燥するのを待ち、その間に、次に続く印刷濃度の低いジョブを印刷、排紙し、この時に続けて反転スペースで乾燥待ちを行っていた用紙を排紙し、この処理を印刷濃度が高いものと、低いものとが交互に続く限り続けることで、印刷濃度の高い印刷物の乾燥待ち時間を短縮し、複数の異なる片面１ページ印刷データの全ての印刷時間を短縮することを特徴とする。
【発明の効果】
【０００７】
本発明によれば、両面印刷装置において、複数の異なる片面１ページジョブを印刷する際、それぞれの印刷濃度から、印刷濃度が高いジョブと低いジョブが交互に、かつ印刷濃度が一番高いものから順番になるよう印刷順番を入れ替えて印刷を行い、また濃度の高いジョブの印刷後は両面印刷用の用紙反転ユニットで乾燥待ちをさせ、その間に濃度の低いジョブを印刷することが可能となるため、これまで印刷後に行われていた無駄なインク乾燥時間による印刷時間の遅延を回避することが可能となり、結果、複数の異なる片面１ページジョブの全ての印刷にかかる時間が大幅に短縮することが可能である。
【発明を実施するための最良の形態】
【０００８】
以下、本発明の実施例として、複数の異なる片面１ページジョブの印字時間の短縮のための一実施例を図面を参照して説明する。
【実施例】
【０００９】
図１は本発明が適用される両面印刷装置の構成を概略的に示している。１００は両面印刷装置を示し、１０１はプリントヘッドを示している。１０１のプリントヘッドとは印刷用紙に実際に絵をプリントする部分となる。１０２はＨＤＤを示し、受信した印刷ジョブデータを記憶する外部記憶装置である。１０３は印刷用紙を示し、用紙搬送路を通って１０１のプリントヘッド部へ用紙が運ばれ、１０１のプリントヘッドによって絵がプリントされる。
【００１０】
この時、プリントされる絵の濃度が高く、乾燥するまで直ちに排紙できない場合、１０４に示す両面印刷用反転スペースを利用して、一旦、排紙せずに１０４の両面印刷用反転スペースに待機させ、乾燥するのを待つ。その乾燥待ちの間、１０３の印刷用紙は次の印刷を行うために１０１に示すプリントヘッド部へ搬送され、１０１のプリントヘッドによって絵がプリントされる。この時、プリントされる絵の濃度が低い場合、直ちに排紙を行い、続けて１０４の両面印刷用反転スペースに乾燥待ちで待機させている印刷用紙を排紙する。
【００１１】
これら一連の処理を複数の異なる片面１ページジョブの連続印字と、後述にある、複数の異なる片面１ページジョブを濃度が高いものと低いものが交互になるよう印刷順番を並び替える処理とを組み合わせて処理することで、プリントされた絵の乾燥待ち時間時に、次のジョブの印刷を行うことが可能とし、乾燥待ちにかかっていた無駄な時間を省き、全体としての印刷時間の短縮を実現している。
【００１２】
図２は、本発明が適用される両面印刷装置において、受信した複数の異なる片面印刷ジョブデータが、印刷濃度が高いもの低いものとが交互、かつ一番濃いものから順番となるよう並び替えられ、印刷が行われるまでの一連の流れを示すフローチャートである。Ｓ２０１は複数の異なる片面印刷ジョブデータを受信する際に開始され、Ｓ２０２によって受信したジョブデータを一旦ＨＤＤなどの外部記憶装置に保存し、Ｓ２０３によって保存された複数の異なる片面印刷ジョブデータの各印刷濃度を確認し、印刷濃度の高いジョブから低いジョブに並び替え、Ｓ２０４によって一番印刷濃度の高いものから順番に、印刷濃度が高いジョブと低いジョブが交互となるよう並び替える。並び替えた複数の異なる片面印刷ジョブデータは、Ｓ２０５によってそのジョブデータが無くなるまでＳ２０６からＳ２１１までの処理が行われる。
【００１３】
Ｓ２０６では実際に用紙に片面１ページジョブデータを印刷し、Ｓ２０７で両面印刷用の反転パスに用紙が有るか無いかを確認し、用紙がある場合にはＳ２１０で所定時間乾燥を行い直ちに排紙を行い、Ｓ２０７にて用紙が無かった場合、Ｓ２０８にて印刷したジョブデータが、次に続くジョブデータよりも印刷濃度が高いかどうか確認し、低い場合はＳ２１０にて所定時間乾燥を行い直ちに排紙を行う。Ｓ２０８にて印刷濃度が高かった場合は、Ｓ２０９にて両面反転パスに用紙を運び、乾燥するまで待機させ、乾燥が完了したらＳ２１１にて両面反転パスから乾燥待ち用紙を排紙する。
【００１４】
図３は、本発明が適用される両面印刷装置において、受信した複数の異なる片面１ページ印刷ジョブデータが、その印刷順番を印刷濃度が高いもの、低いものとが交互に、かつ一番濃度の高いものから順番に印刷されるよう順序変更が行われる様子を示している。
【００１５】
３００は受信した順番通りに複数の異なる片面１ページ印刷ジョブデータを並べた受信順印刷ジョブ順序であり、これを各ジョブごとに濃度を確認し、濃度の高いものから順番に並べなおしたものが３０１に示す濃度順印刷ジョブ順序である。これを本発明ではさらに、濃度が高いものと、薄いものが交互となるよう３０２で示すように適順印刷ジョブ順序に並べなおす。
【図面の簡単な説明】
【００１６】
【図１】概略的な構成を示す図
【図２】本発明の一連の流れを示すフローチャート
【図３】複数片面印刷ジョブを濃度別に並べ替える際の基本的構成を示す図
【符号の説明】
【００１７】
１００  両面印刷装置
１０１  プリントヘッド
１０２  外部記憶装置
１０３  印刷用紙
１０４  両面印刷用反転スペース
３００  受信時印刷ジョブ順序
３０１  濃度順印刷ジョブ順序
３０２  適順印刷ジョブ順序
【図１】
2007030255.tif 000003
【図２】
2007030255.tif 000004
【図３】
2007030255.tif 000005